(57)【要約】【課題】複数の有機ＥＬパネルを接合する接合工程において、接合精度及び作業効率を向上させることが可能な有機ＥＬ表示装置を提供する。【解決手段】基板１１，２１上に一対の電極１１，１２，２１及び２２間に少なくとも発光層を有する有機層１３，２３を積層形成してなる有機ＥＬ素子を備えた複数の有機ＥＬパネル１，２を繋ぎ合わせてなる有機ＥＬ表示装置である。有機ＥＬパネル１，２を裏面側から支持する裏面側支持部３ａと裏面側支持部３ａから突出し有機ＥＬパネル１，２の端面が接合される接合部３ｂとを有する接合部材３を備え、接合部材３を介して各有機ＥＬパネル１，２が繋ぎ合わされてなる。【選択図】  図１
2008187075.tif 000002
【特許請求の範囲】
【請求項１】
基板上に一対の電極間に少なくとも発光層を有する有機層を積層形成してなる有機ＥＬ素子を備えた複数の有機ＥＬパネルを繋ぎ合わせてなる有機ＥＬ表示装置であって、
前記有機ＥＬパネルを裏面側から支持する裏面側支持部と前記裏面側支持部から突出し前記有機ＥＬパネルの端面が接合される接合部とを有する接合部材を備え、前記接合部材を介して前記各有機ＥＬパネルが繋ぎ合わされてなることを特徴とする有機ＥＬ表示装置。
【請求項２】
前記接合部材は、前記裏面側支持部と対向し前記有機ＥＬパネルを表面側から支持する表面側支持部を備えてなることを特徴とする請求項１に記載の有機ＥＬ表示装置。
【請求項３】
前記接合部材は、前記有機ＥＬパネルと前記接合部との接合個所側方を覆う側方保護部を備えてなることを特徴とする請求項１に記載の有機ＥＬ表示装置。
【請求項４】
前記接合部材は、金属材料からなることを特徴とする請求項１に記載の有機ＥＬ表示装置。
【請求項５】
前記有機ＥＬパネルは、前記端面が角部を切り欠き加工されてなることを特徴とする請求項１に記載の有機ＥＬ表示装置。
【請求項６】
複数の前記有機ＥＬパネルの表示面を覆う偏光膜が配置されてなることを特徴とする請求項１に記載の有機ＥＬ表示装置。
【発明の詳細な説明】
【技術分野】
【０００１】
本発明は、基板上に一対の電極間に少なくとも発光層を有する有機層を積層形成してなる有機ＥＬ（エレクトロルミネッセンス）素子を備えた複数の有機ＥＬパネルを繋ぎ合わせてなる有機ＥＬ表示装置に関する。
【背景技術】
【０００２】
有機材料によって形成される自発光素子である有機ＥＬ素子は、例えば、ＩＴＯ（Ｉｎｄｉｕｍ  Ｔｉｎ  Ｏｘｉｄｅ）等からなる第一電極と、少なくとも発光層を有する有機層と、アルミニウム（Ａｌ）等からなる非透光性の第二電極と、を順次積層して前記有機ＥＬ素子を形成するものが知られている（例えば、特許文献１参照）。
【０００３】
かかる有機ＥＬ素子を利用した表示装置は、例えばガラス基板上に前記有機ＥＬ素子を形成してなる有機ＥＬパネルを備えるものである。また、情報の多量化及び多様化によって、近年ディスプレイにはさらなる大型化・高精細化が求められている。
【０００４】
前記有機ＥＬパネルを備える表示装置において容易にディスプレイを大型化する方法としては、従来より複数の有機ＥＬパネルを繋ぎ合わせることにより一つの大きな表示画面を構成する方法が知られている（例えば特許文献２参照）。
【特許文献１】特開昭５９−１９４３９３号公報
【特許文献２】特開２００４−１１１０５９号公報
【発明の開示】
【発明が解決しようとする課題】
【０００５】
しかしながら、前述の方法によれば、前記有機ＥＬパネル同士の接合工程において前記各有機ＥＬパネルの端面を直接接着剤を介して接合する際に位置ズレが生じやすく表示面を平坦に設けることが困難であり、接合工程に多大な時間を要するという問題点があった。
【０００６】
本発明は、前記問題点に鑑みてなされたものであって、複数の有機ＥＬパネルを接合する接合工程において、接合精度及び作業効率を向上させることが可能な有機ＥＬ表示装置を提供することを目的とするものである。
【課題を解決するための手段】
【０００７】
本発明は、前記課題を解決するために、基板上に一対の電極間に少なくとも発光層を有する有機層を積層形成してなる有機ＥＬ素子を備えた複数の有機ＥＬパネルを繋ぎ合わせてなる有機ＥＬ表示装置であって、前記有機ＥＬパネルを裏面側から支持する裏面側支持部と前記裏面側支持部から突出し前記有機ＥＬパネルの端面が接合される接合部とを有する接合部材を備え、前記接合部材を介して前記各有機ＥＬパネルが繋ぎ合わされてなることを特徴とする。
【０００８】
また、前記接合部材は、前記裏面側支持部と対向し前記有機ＥＬパネルを表面側から支持する表面側支持部を備えてなることを特徴とする。
【０００９】
また、前記接合部材は、前記有機ＥＬパネルと前記接合部との接合個所側方を覆う側方保護部を備えてなることを特徴とする。
【００１０】
また、前記接合部材は、金属材料からなることを特徴とする。
【００１１】
前記有機ＥＬパネルは、前記端面が角部を切り欠き加工されてなることを特徴とする。
【００１２】
また、複数の前記有機ＥＬパネルの表示面を覆う偏光膜が配置されてなることを特徴とする。
【発明の効果】
【００１３】
本発明は、基板上に一対の電極間に少なくとも発光層を有する有機層を積層形成してなる有機ＥＬ素子を備えた複数の有機ＥＬパネルを繋ぎ合わせてなる有機ＥＬ表示装置に関し、複数の有機ＥＬパネルを接合する接合工程において、接合精度及び作業効率を向上させることが可能となるものである。
【発明を実施するための最良の形態】
【００１４】
以下、本発明を適用した実施の形態を添付の図面に基いて説明する。
【００１５】
図１において、本発明の第一の実施形態である有機ＥＬ表示装置は、第一の有機ＥＬパネル１と第二の有機ＥＬパネル２とを接合部材３を介して繋ぎ合わせてなるものである。また、第一，第二の有機ＥＬパネル１，２の表示面側には第一，第二の有機ＥＬパネル１，２の表示面を覆う偏光膜４が配置されている。
【００１６】
第一の有機ＥＬパネル１は、支持基板１１上に透光性の第一電極１２と有機層１３と第二電極１４とを積層形成してなる有機ＥＬ素子を備えるものであり、支持基板１１側を発光表示面として第一電極１２を透過した光が取り出されるものである。また、第二の有機ＥＬパネル２は、第一の有機ＥＬパネル１と同様の構成を有し、支持基板２１上に、透光性の第一電極２２と有機層２３と第二電極２４とを積層形成してなる有機ＥＬ素子を備えてなるものであり、支持基板２１側を発光表示面（表面）として第一電極２２を透過した光が取り出されるものである。また、第一，第二の有機ＥＬパネル１，２は、前記有機ＥＬ素子を覆う略凹形状の封止部材１５，２５が支持基板１１，１２と接合されている。
【００１７】
支持基板１１，２１は、長方形形状からなる透光性のガラス基板である。
【００１８】
第一電極１２，２２は、例えばＩＴＯ（Ｉｎｄｉｕｍ  Ｔｉｎ  Ｏｘｉｄｅ）等の透光性の導電材料をスパッタリング法等の方法で支持基板１上に層状に形成し、例えばフォトリソグラフィー法にて所定形状にパターニングしてなる。本実施の形態においては、第一電極１２，２２が陽極となり、有機層１３，２３に正孔を注入する。
【００１９】
有機層１３，２３は、第一電極１２，２２上に形成されるものであり、少なくとも発光層を有する複数層からなる。例えば本実施形態においては、有機層１３，２３は、正孔注入層，正孔輸送層，第一発光層，第二発光層，第一電子輸送層，第二電子輸送層及び電子注入層を蒸着法等の手段によって順次積層形成してなる。
【００２０】
第二電極１４，２４は、前記発光表示面と対向する側に配設される電極であり、アルミニウム（Ａｌ）やマグネシウム銀（Ｍｇ：Ａｇ）等の低抵抗の導電性材料を蒸着法等の手段によって膜厚５０〜２００ｎｍ程度の層状に積層形成してなるものである。
【００２１】
封止部材１５，２５は、図示しない接着剤を介して支持基板１１，２１とそれぞれ接合されるものであり、例えば平板ガラスを切削あるいはエッチング等の加工方法によって略凹形状に形成してなる。封止部材１５，２５は支持基板１１，２１とともに前記有機ＥＬ素子を覆い、水分などによる前記有機ＥＬ素子の劣化を抑制する。なお、封止部材１５，２５によって覆われる空間内に水分を吸着する吸湿剤を配置しても良い。
【００２２】
接合部材３は、例えば金属材料からなり、第一，第二の有機ＥＬパネル１，２を裏面側（封止部材１５，２５側）から支持する平板状の裏面側支持部３ａと、裏面側支持部３ａの略中央部から突出形成され第一，第二の有機ＥＬパネル１，２の端面がそれぞれ両面に接着剤によって接合される接合部３ｂと、を有する断面略Ｔ形状に形成されるものである。
【００２３】
偏光膜４は、第一，第二の有機ＥＬパネル１，２の表示面上に設けられ特定方向に振動する光のみを透過する部材であって、第一，第二の有機ＥＬパネル１，２の表示光を偏光するものである。
【００２４】
かかる有機ＥＬ表示装置は、第一，第二の有機ＥＬパネル１，２を繋ぎ合わせる工程において、第一，第二の有機ＥＬパネル１，２を接合部材３の裏面側支持部３ａと接合部３ｂとにそれぞれ当接させることによって有機ＥＬパネル同士の平行を容易に保つことが可能となり、接合精度及び作業効率を向上させることができる。また、複数の有機ＥＬパネル１，２の平行を保つことが容易であることから、複数の有機ＥＬパネル１，２に対して１枚の偏光膜４を配置することができ、複数の有機ＥＬパネル１，２にそれぞれ偏光膜を配置する場合よりも偏光膜の貼り付け工程を簡素化し、また、表示面に偏光膜による段差が生じることを抑制することが可能となる。また、裏面側支持部３ａによって外気に含まれる水分が第一，第二の有機ＥＬパネル１，２の接合個所に浸食するまでの距離を伸ばすことができるため、第一，第二の有機ＥＬパネル１，２の透湿度を低くし劣化を抑制することができる。
【００２５】
次に、本発明の第二の実施形態について説明する。なお、前述の第一の実施形態と同一または相当個所には同一符号を付してその詳細な説明は省略する。
【００２６】
図２において、本発明の第二の実施形態である有機ＥＬ表示装置は、第一の有機ＥＬパネル１と第二の有機ＥＬパネル２とを接合部材１３を介して繋ぎ合わせてなるものである。
【００２７】
接合部材１３は、例えば金属材料からなり、第一，第二の有機ＥＬパネル１，２を裏面側（封止部材１５，２５側）から支持する平板状の裏面側支持部１３ａと、裏面側支持部１３ａの略中央部から突出形成され第一，第二の有機ＥＬパネル１，２の端面がそれぞれ両面に接着剤によって接合される接合部１３ｂと、裏面側支持部１３ａと対向し第一，第二の有機ＥＬパネル１，２を表示面（表面）側から支持する平板状の表面側支持部１３ｃと、を有する断面略Ｉ形状に形成されるものである。
【００２８】
かかる有機ＥＬ表示装置は、第一，第二の有機ＥＬパネル１，２を繋ぎ合わせる工程において、第一，第二の有機ＥＬパネル１，２を接合部材１３の裏面側支持部１３ａ，接合部１３ｂ及び表面側支持部１３ｃとにそれぞれ当接させる、すなわち接合部材１３に設けられる凹部に第一，第二の有機ＥＬパネル１，２を嵌め込むことによって有機ＥＬパネル同士の平行を容易に保つことが可能となり、接合精度及び作業効率を向上させることができる。なお、第一，第二の有機ＥＬパネル１，２は、接合部材１３に嵌め込まれる端面をＣ面あるいはＲ面加工によって切り欠き加工されており、端部を小さくすることで嵌め込み作業を容易とし、また、角部が嵌め込み作業の際に欠損することを抑制することができる。また、裏面側支持部１３ａ及び表面側支持部１３ｃによって外気に含まれる水分が第一，第二の有機ＥＬパネル１，２の接合個所に浸食するまでの距離を伸ばすことができるため、第一，第二の有機ＥＬパネル１，２の透湿度を低くし劣化を抑制することができる。
【００２９】
なお、本発明においては、接合部材にさらに有機ＥＬパネルと接合部との接合個所側方を覆う側方保護部を設けるものであってもよい。図３は、第二の実施形態の接合部１３に側方保護部１３ｄを設けた構成を示す図であり、有機ＥＬ表示装置を表示面側から見た図である。側方保護部１３ｄは接合部材１３と一体的に設けられるものである。側方保護部１３ｄを設けることによって第一，第二の有機ＥＬパネル１，２の接合個所側方においても外気に含まれる水分が第一，第二の有機ＥＬパネル１，２の接合個所に浸食するまでの距離を伸ばすことができるため、第一，第二の有機ＥＬパネル１，２の透湿度を低くし劣化を抑制することができる。
【図面の簡単な説明】
【００３０】
【図１】本発明の第一の実施形態である有機ＥＬ表示装置を示す断面図。
【図２】本発明の第二の実施形態である有機ＥＬ表示装置を示す断面図。
【図３】同上有機ＥＬ表示装置の別例を示す図。
【符号の説明】
【００３１】
１  第一の有機ＥＬパネル
２  第二の有機ＥＬパネル
３，１３  接合部材
３ａ，１３ａ  裏面側支持部
３ｂ，１３ｂ  接合部
１３ｃ  表面側支持部
１３ｄ  側方保護部
４  偏光膜
１１，２１  支持基板
１２，２１  第一電極
１３，２３  有機層
１４，２４  第二電極
１５，２５  封止部材
【図１】
2008187075.tif 000003
【図２】
2008187075.tif 000004
【図３】
2008187075.tif 000005